(57)【要約】【課題】水分がついたまま固形石鹸をケースに保管すると表面が溶けてしまい石鹸との接触部分が多く平面の固形石鹸ケースでは携帯には不向きだった。水分を含んだ石鹸がケースに張り付き時間が経過していると不衛生で使用の都度、水道水で洗う。一度水分を含んだ石鹸は乳液状になり乾燥すればケースに張り付くどころか排水口にまで固形物が残存する。洗顔ネットに入れても石鹸の重力でそのネットの小さな穴から溶けて出てきてしまうのを防ぐ目的とする。【解決手段】固形石鹸を置くトレイの形状が漏斗状かつ内側面が波型あるいは花型とすることを重要な特徴とし、その漏斗トレイを収納する上下の蓋にネジ口を付ける。取り外し可能な薄円形柔軟板の中心にアーチ型の切れ目と縁に半円形の小穴を設け、上蓋と薄円形の間に隙間を確保する。上下蓋の外面に足となる突起物を４か所取り付けその上蓋の上部に持ち紐を付ける。【選択図】図１
2013192576.tif 000002
【特許請求の範囲】
【請求項１】
固形石鹸を置くトレイの形状がじょうご状かつ波型あるいは花型であることを特徴とした固形石鹸ケース。じょうごトレイを密閉できる容器にいれ、取り外し可能なアーチ型スリットが入った薄円形板に洗顔ネットを挟み、その上蓋との隙間に小物も収納し携帯できる固形石鹸ケース。
【発明の詳細な説明】
【技術分野】
【０００１】
本発明は、保管する固形石鹸が溶けにくくかつ携帯できる固形石鹸ケースに関するものである。
【背景技術】
【０００２】
固形石鹸を保管するためのケースは固形石鹸を置くトレイが平面で水はけを良くするためにスリット状の穴があいているものが多い。平面の場合、水はけが悪いため固形石鹸から水分が取れずケースに張り付き、溶けてしまうという問題があった。
【０００３】
固形石鹸ケースのスリットは細いため溶けた石鹸が詰まりやすいという点と洗顔ネットも石鹸が小穴から溶け出す問題があった。
【０００４】
さらに、平面の場合、固形石鹸をどの位置にも置くことができるため、スリットと固形石鹸の位置関係によって水はけ性が変わるという問題があった。固形石鹸は使うほど小さくなる。小さい石鹸を置く場合はこの問題がより顕著になる。
【０００５】
また、固形石鹸のケースは浴室や洗面所に置いたままにする場合が多く、携帯することを考えていない。濡れたものを携帯するためのケースは密閉できる構造が一般的であるため、このようなケースに固形石鹸をいれた場合、水分と固形石鹸が常に接触することになり、固形石鹸が溶けてしまうという問題があった。
【先行技術文献】
【特許文献】
【０００６】
【特許文献１】特開１９９４−１０００４１号公報
【特許文献２】登録実用新案第３１６６３７３号公報
【特許文献３】登録実用新案第３００２９９４号公報
【非特許文献】
【０００７】
【非特許文献１】ベンチャーリンク「発明と実用性」
【発明の概要】
【発明が解決しようとする課題】
【０００８】
水分がついたまま固形石鹸をケースに保管すると表面が溶けてしまい石鹸との接触部分が多い問題点である。従来の固形石鹸ケースは長方形で中心にスリットが入っているものが多く水分を含んだ石鹸がケースに張り付き、時間が経過していると不衛生で使用の都度、水道水で洗う。石鹸は通常、毎日使用するものであり一度水分を含んで乳液状になると乾燥すればケースに張り付き剥がせば排水口にまで固形物が残存することの繰り返しである。洗顔石鹸など泡立てた後に手から離しても水分は付着したままの状態が長ければ非常に溶けやすく、洗顔ネットに入れたまま保管すると石鹸の重力でそのネットの小さな穴から溶けて出てきてしまうのである。洗顔ネットも使い終えた後、ネットから出して石鹸とネットを別々に保管する場合は少なく水分が付着した状態でどこかにかけておくだけで、次に使う時はそのまま軽く漱いで又使用することになり不衛生で手間がかかる。特に女性の使う洗顔石鹸の場合など顔の皮膚は薄い為、最近では肌の刺激を軽減する油分などの使用量が少ない固形石鹸を選ぶ人が非常に多くなり、その試供品を貰う機会もまた多くなってきた。
本発明は、以上の問題を解決するためになされたものである。
【課題を解決するための手段】
【０００９】
本発明は、固形石鹸を置くトレイの形状が漏斗状かつ内側面が波型あるいは花型とすることを最も主要な特徴とする。漏斗の内側面に３から８か所の波型あるいは花型形状を設け、その漏斗トレイを収納する上下の蓋にネジ口を付ける。取り外し可能にするための薄円形の柔軟板に中心にアーチ型の切れ目と半円形の小穴を設け、上蓋と薄円形の間に隙間を確保する。上下蓋の外面に足となる突起物を４か所ほど取り付けその上蓋の上部に紐あるいは持ち手を付ける。
以上の構成よりなる固形石鹸ケース。
【発明の効果】
【００１０】
本発明の固形石鹸ケースは固形石鹸を置くトレイが漏斗状かつ波型あるいは花型、つまり朝顔のような形にすることで、固形石鹸の定位置が中心にバランスよく収まるよう固定させ、トレイと固形石鹸の接触面を最小限にし、石鹸に付着した水分を一か所に集中して下蓋に落として水を切ればより水はけ性が高まる。じょうご型トレイの波型あるいは花型にすることにより水の流れる道を作っておけば更に早く水切りができ、固形石鹸を使用した後の水切りを手早くし石鹸の溶解を可能な限り防ぎ、携帯でも自宅でも手軽に使用できる目的を実現した。また、石鹸の重力で溶け出してしまう欠点もトレイに置くことで見事に防ぐことができる。全体的に丸みを帯びた形にして本体の角部分も容易に洗浄しやすくなるという利点もあり、更に旅先や大浴場などでは視力の弱い人にとって試供品などの小袋など使用後の置き場所に困ることなく上蓋に固定させる薄円形の板のアーチ部分に挟んでおいて後でまとめて捨てられ、またその隙間に小袋の収納もでき取り出しやすくする。
【図面の簡単な説明】
【００１１】
【図１】本発明の斜視図であり使用状態を示した説明図である。（実施例１）
【図２】本発明の断面図である。（実施例２）
【図３】本体じょうご型トレイの傾斜図である。
【発明を実施するための形態】
【００１２】
以下、本発明の実施の形態を説明する。
図２は、本発明の１実施例の断面図であって、図１と同様である。また、４と６は薄円形の板、図１の５に設け、９は持ち手あるいは掛ける為の紐である。携帯する際は図１の７のネジ口を閉める。固形石鹸をじょうご形状トレイ２に置いた際、常に石鹸が中心に定まるよう凹んだ円錐である。図１の２は常時石鹸を置いて使用する。じょうご形状の波型あるいは花型とは図３の拡大図であり図１の３にセットするとケースから２の円周囲の縁が浮いた波形になり、図３は図１の２の傾斜図である。
このようなじょうご型の形体を採用したので石鹸独特の溶解を効果的に防ぐ事ができる。図１の２じょうご型の内側面に花型の波形状を採用することにより石鹸表面の密着面積を極力少なくし、水の流れる道をつくり、石鹸が中心にバランスよく納まるようその中央にむかい傾斜をつけ中心に凹んだ円錐を設け水分を手早く切るようにする。図１の３に水分を受けとる。上下に取り付けた図１の８足部分を設けるので本体下部に水が流れ込んでも倒れることなく安定しているし、ネジ口でもある図１の７で蓋を閉めれば自宅でも携帯でも容易に使用でき、使用後は図１の９の持ち紐を引っ掛けて乾燥することも可能である。また薄円形の板を装着することにより、泡立ちネットだけを使用後に洗浄し収納することができ、図１の５と１の間にできるスペースで試供品として頻繁に貰う小袋も常時まとめて収納できるのである。
図１の実施例は、使用後に上蓋だけを引っ掛けて乾燥させる際に洗顔ネットを使用した場合、アーチ型に切り込んだ部分にネットを挟めば同時に水を切ることができる。ネットに付着した水分も時間が経てば臭いも発生し常に使用条件が良いことが要となってくる為、水分を充分除去できるよう干す状態なら早く乾燥させることにおおいに役立つ。アーチ型の切り込みは、大衆浴場などで鏡の下の棚部分に水が浮遊して小さい物体は流れてしまうので、使用直後の試供品小袋を視力の弱い人でも置き場所を迷うことなくとりあえず挟み込み、後でまとめて捨てることとしても利用できる。
【符号の説明】
【００１３】
１本体上蓋、２じょうご型トレイ、３本体下蓋、４アーチ型のスリット、５薄円形の板、
６小穴、７ねじ口、８本体上下蓋の足、９持ち紐
【図１】
2013192576.tif 000003
【図２】
2013192576.tif 000004
【図３】
2013192576.tif 000005